(57)【要約】【課題】製品情報が記憶されたＩＣタグを容易に取り除くことが可能なＩＣタグ付蓋体を提供する。【解決手段】天板３０と、天板周縁部から降下したスカート壁３１とを有し、天板３０の上面には、上端が内方に屈曲した環状突起５３が形成されており、この環状突起５３によって、製品情報が記憶されたＩＣタグ５５が天板上面に係止されている蓋体において、天板３０の環状突起５３で囲まれる領域には、少なくとも天板中心部を含むように薄肉部５７或いは下方に凹んだ凹部６０からなる天板押し上げ部Ｘが形成されており、天板押し上げ部Ｘを上方に押し上げることにより、ＩＣタグ５５が天板上面から取り外されることを特徴とする。【選択図】図１
2008021084.tif 000002
【特許請求の範囲】
【請求項１】
天板と、天板周縁部から降下したスカート壁とを有し、該天板の上面には、上端が内方に屈曲した環状突起が形成されており、この環状突起によって、製品情報が記憶されたＩＣタグが天板上面に係止されている蓋体において、
前記天板の前記環状突起で囲まれる領域には、少なくとも天板中心部を含むように薄肉部或いは下方に凹んだ凹部からなる天板押し上げ部が形成されており、該天板押し上げ部を上方に押し上げることにより、前記ＩＣタグが天板上面から取り外されることを特徴とするＩＣタグ付蓋体。
【発明の詳細な説明】
【技術分野】
【０００１】
本発明は、製品情報が記憶されたＩＣタグが天板に装着されたＩＣタグ付蓋体に関する。
【背景技術】
【０００２】
従来、各種の製品には、製造年月日、製造・販売者名、使用期限などの製品情報を表示したバーコードが広く利用されている。ところで、バーコードは、コード化された情報をリーダーで読取るため、バーコードの印刷面を平面とする必要があり、このため、ボトルやキャップなどの包装材料の分野では、バーコードの印刷面が制限され、また、コード化できる情報量も限られたものとなってしまうという問題がある。
【０００３】
そこで、最近では、ＩＣタグを用いた情報表示の技術が利用されるようになってきた。ＩＣタグとは、ＲＦＩＤ (Radio Frequency Identification)とも呼ばれるものであり、所定の情報が記憶されたＩＣチップを無線アンテナとともに樹脂やガラス等の誘電体材料に埋め込んでタグ（荷札）状に形成した超小型の通信端末である。このようなＩＣタグは、無線通信により、ＩＣチップに記憶された製品情報を読取るものであり、例えばＩＣチップのメモリには、数百バイトのデータを記録することができ、多くの製品情報を記録できるという利点がある。また、ＩＣタグは、非接触で記録された情報を読取ることができ、接触による摩耗などの問題もなく、さらには、商品の形態に併せた形状に加工したり、小型化、薄型化なども可能であるという利点がある。
【０００４】
このようなＩＣタグが設けられた蓋体として、特許文献１及び２には、天板にＩＣタグが埋め込まれたものが提案されている。
【特許文献１】特開２００６−６２７１６号公報
【特許文献２】特開２００５−３２１９３５号公報
【発明の開示】
【発明が解決しようとする課題】
【０００５】
しかしながら、最近では、資源の再利用の観点から分別廃棄が要求されており、上述したＩＣタグが埋め込まれた蓋体では、使用済みの蓋体からのＩＣタグの取り出しが困難であり、分別廃棄が可能な蓋体が求められる。
【０００６】
従って、本発明の目的は、製品情報が記憶されたＩＣタグを容易に取り除くことが可能なＩＣタグ付蓋体を提供することにある。
【課題を解決するための手段】
【０００７】
本発明によれば、天板と、天板周縁部から降下したスカート壁とを有し、該天板の上面には、上端が内方に屈曲した環状突起が形成されており、この環状突起によって、製品情報が記憶されたＩＣタグが天板上面に係止されている蓋体において、
前記天板の前記環状突起で囲まれる領域には、少なくとも天板中心部を含むように薄肉部或いは下方に凹んだ凹部からなる天板押し上げ部が形成されており、該天板押し上げ部を上方に押し上げることにより、前記ＩＣタグが天板上面から取り外されることを特徴とするＩＣタグ付蓋体が提供される。
【発明の効果】
【０００８】
本発明のＩＣタグ付蓋体においては、天板の上面にＩＣタグが嵌合固定されているが、該天板の内面から天板押し上げ部を押し上げることにより、格別の工具を用いることなく、ＩＣタグを容易に天板から取り外すことができる。従って、本発明のＩＣタグ付蓋体は、優れた分別廃棄性を有している。
【発明を実施するための最良の形態】
【０００９】
本発明を、以下、添付図面に示す具体例に基づいて説明する。
図１は、本発明のＩＣタグ付蓋体を上蓋として備えた容器蓋の上蓋を開いた状態での平面図であり、
図２は、図１の容器蓋の側断面図（Ａ−Ａ断面図）であり、
図３は、図１の容器蓋の他の例（本発明のＩＣタグ付蓋体の他の例）を示す平面図であり、
図４は、図３の容器蓋の側断面図（Ｂ−Ｂ断面図）である。
【００１０】
図１及び図２において、この容器蓋は、容器口部に嵌合固定されるキャップ本体１と、本発明のＩＣタグ付蓋体である上蓋３とから成っている。
【００１１】
キャップ本体１は、筒状側壁５と、筒状側壁５の上端部分を閉じている頂板部７とを有している。
【００１２】
筒状側壁５の内面には、その下方部分に環状の係合突起９が形成され、上方部分には、やはり環状の小突起１１が形成されている。即ち、これらの係合突起９及び小突起１１が、容器口部壁（図示せず）の外面に係合するものである。また、下方の係合突起９には、その下側部分に切欠き部９ａが部分的に形成されており、これにより、容器蓋（キャップ本体１）の軽量化が達成される。
【００１３】
また、頂板部７の内面には、筒状側壁５とは間隔をおいて下方に延びているインナーリング１３が設けられている。即ち、このインナーリング１３と筒状側壁５との間の空間に容器口部が嵌め込まれ、前述した係合突起９及び小突起１１が、容器口部壁の外面に係合することにより、キャップ本体１がしっかりと容器口部に固定され、インナーリング１３の外面が容器口部壁の内面に密着することにより、シール性が確保される。
【００１４】
さらに、頂板部７には、無端状のスコア１５が形成されており、この無端状スコア１５で囲まれた領域内においては、頂板部７の外面に、スコア１５の近傍から立ち上がっている支柱１７が設けられており、支柱１７の上端に、スコア破断用のプルリング１９が形成されている。即ち、プルリング１９を引っ張ることにより、無端状のスコア１５が引き裂かれ、これにより、容器内容液を注出するための開口が形成される。
【００１５】
頂板部７の上面において、上記の無端状スコア１５の外側には、注出された液の案内となる注出筒２１が設けられている。この注出筒２１は、その上端がラッパ状に広がっており、特に、上蓋３との接続部と反対側の部分は、嘴形状の注出口２１ａとなっている。また、特に図２から理解されるように、注出筒２１の上蓋３側が、背が低くなっており、上蓋３の閉栓の妨げとならないように構成されている。
【００１６】
上記の注出筒２１の外側には、背の低い周状突起２３が設けられている。この周状突起１３は、上蓋３と係合することにより、上蓋３の閉栓状態を安定に保持するものである。
【００１７】
一方、上蓋３は、キャップ本体１の筒状側壁５の上端部分にヒンジバンド２５によってヒンジ連結されている。また、ヒンジバンド２５の周方向両端には、補助バンド２７，２７が設けられており、この補助バンド２７は、図２から理解されるように、ヒンジバンド２５よりもやや低い位置で筒状側壁５と上蓋３とを連結しており、この補助バンド２７によるテンションによって、上蓋３を旋回して開けた時、一定の開栓状態が保持され、内容液の注出が妨げられないようになっている。
【００１８】
また、上蓋３は、天板３０と、天板３０の周縁から延びているスカート壁３１とから形成されており、スカート壁３１の外面の下端部分（上蓋を閉じた状態での下方部分）には、前述したヒンジバンド２５及び補助バンド２７，２７が連結されている。
【００１９】
天板３０の内面には、シールリング３３が設けられており、上蓋３を旋回して閉じたとき、このシールリング３３が注出液案内用の注出筒２１の内面に密着することにより、スコア１５を破断しての注出用開口形成後のシール性が確保される。
【００２０】
また、上蓋３のスカート壁３１の外面には、前述したヒンジバンド２５が連結されている部分とは反対側部分に、開封用鍔３５が設けられている。この開封用鍔３５の下面には、滑り止め用の偏平状突部３７が形成されている。この開封用鍔３５を指で引っ掛けて上蓋３を上方に持ち上げることにより上蓋３の開封を容易に行うことができる。また、図１から明らかなように、開封用鍔３５の下面には、上記の偏平状突部３７に沿って肉抜き部３９が形成されており、これにより、開封用鍔３５におけるヒケの防止と材料の軽減が図られている。また、肉抜き部３９内には、リブ５０が形成されており、肉抜き部３９の形成による強度低下を回避している。
【００２１】
本発明においては、図１に示されているように、天板３０の外面に、先端が内方に屈曲している環状突起５３が形成されており、この環状突起５３内に、ＩＣタグ５５が係止されている。このＩＣタグ５５は、先にも説明したように、容器内容液等の製品情報（製造年月日、製造・販売者、使用期限など）が多く記録されたＩＣチップと無線アンテナとが樹脂やガラスなどの誘電体材料に埋め込まれたものであり、その形状は、環状突起５３内での固定が可能であれば特に制限されないが、通常は、位置ずれなどがなく、しっかりと固定でき、しかも外観を損なわないという観点から円形であることが好ましい。また、その厚みは、フイルム状ではなく、ある程度形状が保てる厚みであるのが好ましい。このＩＣタグ５５を環状突起５３内で固定するには、上方に延びた環状突起内にＩＣタグ５５を配置して、その後にこの上方に延びた環状突起を加熱ポンチで内側に変形して環状突起５３を形成することにより行われる。また、予め上端が内方に屈曲した環状突起５３を成形しておき、このような環状突起５３内にＩＣタグ５５を嵌め込むことも可能である。
【００２２】
ところで、上記のようなＩＣタグ５５は、この容器蓋を廃棄する際に、この容器蓋から取り除いて分別廃棄することが求められる。本発明においては、このために、天板３０の環状突起５３で囲まれている領域に天板押上げ部Ｘが形成されている。この天板押上げ部Ｘは、図に示されているように、天板３０の中心部分から放射状に延びている薄肉部５７から形成されている。即ち、このような薄肉部５７から形成されている天板押上げ部Ｘを、天板３０の内面から上方に押し上げると、天板３０はドーム状に変形し、このため、環状突起５３によって嵌合固定されているＩＣタグ５５は、速やかに環状突起５３から開放され、上蓋３から取り外されることとなる。
【００２３】
このように、上記のような天板押上げ部Ｘを形成することにより、ＩＣタグ５５を格別の工具を用いることなく、容易に上蓋３から取り外すことができ、優れた分別廃棄性を確保することができる。
【００２４】
尚、天板押上げ部Ｘを形成する薄肉部５７の形状は、手での押し上げによりＩＣタグ５５の取り外しが容易に行われる限り、特に制限されるものではなく、例えば、円形状とすることもできる。但し、天板３０の強度低下を最小限として、天板３０を容易に押し上げることができるという観点から、図１に示されているように、薄肉部５７は、放射状に延びている形状が最適である。また、薄肉部５７の薄肉の程度は、天板３０の他の部分の厚みなどに応じて、適宜の大きさに設定すればよい。
【００２５】
図１及び図２は、天板押し上げ部Ｘを薄肉部５７により形成した例であるが、このような薄肉部によらず、天板押上げ部Ｘを形成することもできる。このような他の例を図３及び図４に示した。
【００２６】
図３及び図４に示されている上蓋３は、天板押上げ部Ｘの構造が異なっている点を除けば、図１及び図２における上蓋３と全く同じ構造を有している。従って、同じ部材は、同じ印照数字で示されている。
【００２７】
図３及び図４において、この上蓋３では、先端が内方に屈曲した環状突起５３で囲まれる領域の中心部分には、凹部６０が形成されており、この凹部６０によって、天板押し上げ部Ｘが形成されている。即ち、この凹部６０の底面６０ａを上方に押し上げることによって、環状突起５３内の天板３０はドーム状に変形し、これによって、環状突起５３内に固定されているＩＣタグ５５が開放されて、上蓋３から取り外される。
【００２８】
このような凹部６０には、底面６０ａに押出用突起を設けることもできる。このような押出用突起を設けることにより、凹部６０ａを押し上げたとき、該押出用突起によってＩＣタグ５５が押出され、ＩＣタグ５３を環状突起５３から容易に開放して上蓋３から取り外すことができる。
【００２９】
また、凹部６０の側壁６０ｂは、薄肉に形成しておくことが好適である。側壁６０ｂを薄肉にしておくことにより、凹部６０の底面６０ａを押し上げたときの変形が速やかに生じ、ＩＣタグ５５の取り出しを容易に行うことができるからである。
【００３０】
上述したように、本発明においては、ＩＣタグ５５を嵌合固定する環状突起５３で囲まれる領域の中心部分に、凹部６０から形成される押上げ部Ｘを形成しておくことによっても、ＩＣタグ５５の上蓋３からの取り外しを格別の工具を用いることなく、速やかに行うことができ、優れた分別廃棄性を確保することができる。
【００３１】
上述した図１乃至図４では、キャップ本体１にヒンジ連結された上蓋３を、本発明のＩＣタグ付蓋体とした例を示したが、本発明の蓋体は、このような上蓋に限定されて適用されるものではなく、例えば、容器口部に固定されるキャップ本体に螺子締結される上蓋、或いは容器口部に直接螺子締結される容器蓋に適用することができるのは言うまでもない。
【図面の簡単な説明】
【００３２】
【図１】本発明のＩＣタグ付蓋体を上蓋として備えた容器蓋の上蓋を開いた状態での平面図。
【図２】図１の容器蓋の側断面図（Ａ−Ａ断面図）。
【図３】図１の容器蓋の他の例（本発明のＩＣタグ付蓋体の他の例）を示す平面図。
【図４】図３の容器蓋の側断面図（Ｂ−Ｂ断面図）。
【符号の説明】
【００３３】
３０：天板
３１：スカート壁
５３：環状突起
５５：ＩＣタグ
５７：薄肉部
６０：凹部
Ｘ：天板押上げ部
【図１】
2008021084.tif 000003
【図２】
2008021084.tif 000004
【図３】
2008021084.tif 000005
【図４】
2008021084.tif 000006